(57)【特許請求の範囲】
【請求項１】
一つ以上の電池セルが相互間に電気的に連結される電池モジュールが受容される内側空間で底面をなす下部支持体;
上記下部支持体の両側から締結される直立した断面からなる側部カバー;
上記側部カバーの上側で締結され上面をなす上部カバー;
上記上部カバーと側部カバーの前面と背面で各々締結される前面カバーと背面カバー;及び
上記前面カバーから背面カバーまで延長され両側面で固定される固定バンドを含み、
上記側部カバーと上部カバー及び下部支持体は側方向に延長される一つ以上の固定バンド装着穴を含み、
上記前面カバーと背面カバーは上記固定バンド装着穴と一致する位置で上記固定バンドの末端と相互対称する形状で陰刻されたバンド固定穴を各々含み、
上記固定バンドは弾性力をもつゴム、織物又はプラスチック材質として一方向に延長形成される胴体の両末端から上記バンド固定穴と相互対称した陽刻構造を有する引っ掛け突起が上記バンド固定穴に固定されることで上記前面カバーから背面カバーまで固定させ、ボルトやネジのような別途の固定手段を使用せず組立てができることを特徴とする電池パックケース。
【請求項２】
請求項１において、上記上部カバーは上面で上記前面カバーと背面カバー側方向に各々延長され上記前面カバーと背面カバーの内側に挿入される第1上部はめ込み手段;及び
上面の両側から下向延長される側面と段差形成され上記側部カバーの上段に下向延長される第2上部はめ込み手段を含む電池パックケース。
【請求項３】
請求項１において、上記側部カバーは側部胴体の上段と下段に段差をもって突出形成される第1側部はめ込み段;及び
上記側部胴体の内面から垂直で延長され各々前面カバーと背面カバーに突出される直立した断面からなる着脱バーを含む電池パックケース。
【請求項４】
請求項１において、上記下部支持体は底盤から相互離隔され直立した断面で形成された固定盤で両末端が各々固定されるヒンジ軸;
上記底盤の両側から上向突出される壁面からなり上記側部カバーと締結される側部盤;
上記側部盤の上段と互いに異なる高さをもつように上記底盤を上向突出させ上記側部カバーの内面に密着するように締結される結合板を含む電池パックケース。
【請求項５】
請求項４において、上記下部支持体は上面から貫通して固定空が形成され上記底盤から一つ以上が地面に密着するように延長される支持パネルを含む電池パックケース。
【請求項６】
請求項４において、上記前面カバーと背面カバーは下側で半球形状の直立した面で延長形成される引っ掛け部を含み、
上記引っ掛け部は水平に延長される直立した面で上記ヒンジ軸に引っ掛ける引っ掛け穴を含む電池パックケース。
【請求項７】
請求項１または請求項３において、上記前面カバーは内部温度、入出力電圧レベルを視覚的に表示するディスプレイ;及び貫通形成される開口で上下側に多数個の支持バーが傾斜するように固定され内側から発熱された熱を放熱させる放熱窓;を含む電池パックケース。
【請求項８】
請求項１において、上記側部カバーは内側面で外部電源が入出力される電源コネクター;及び外部バッテリー又は外部システムに通信連結するUSB端子を含む電池パックケース。
【請求項９】
請求項１において、上記上部カバーは上面から一つ以上の電池セルが電気的に連結される電池モジュールから電源の入出力がなされる極柱が突出される極中空;及び上面から内側が視覚的に確認できるように透明材質の透明窓を含む電池パックケース。
【請求項１０】
請求項１において、上記固定バンド装着穴は上記側部カバーと上記上部カバーの段差間に形成されることを特徴とする電池パックケース。
【請求項１１】
請求項１において、上記固定バンド装着穴は上記側部カバーと上記下部支持体から上向突出される側部盤の段差間に形成されることを特徴とする電池パックケース。
【請求項１２】
請求項５において、上記下部支持体は上記底盤に受容された電池セルの両側を支持するように上記底盤で相互離隔して直立形成される支持盤を含む電池パックケース。
【請求項１３】
請求項１において、上記引っ掛け突起は上記胴体の両末端からかぎ括弧形に形成されることを特徴とする電池パックケース。
【発明の詳細な説明】
【技術分野】
【０００１】
本発明は電池パックケースに関するものであり、詳しくはリチウム電池セルをパウチで構成してモジュール式に安着する電池パックケースを、組み立てと分解が簡単であるように対称形はめ込み式構造とした電池パックケースに関するものである。
【背景技術】
【０００２】
最近では電極組立体をアルミ二ウムラミネートシートのパウチ型電池ケースに内蔵した構造のパウチ型2次電池が低い制作費、小さい重量、容易な形態変形などを理由に関心を集めており、またそれの使用量の段々増加する傾向にある。
【０００３】
このような従来のパウチ型2次電池は使用者によって要求される大きさの出力を得るために複数の電池がモジュールで構成され使用される。上記パウチ型電池が積層された電池モジュールは、使用者の要求に合わせ密閉されたコンテナーを利用して電池パックケースの内部に配置し中大型電池パックとしてリリースされた。
【先行技術文献】
【特許文献】
【０００４】
【特許文献１】韓国特開１０−２０１０−０１３６６７７号公報
【発明の概要】
【発明が解決しようとする課題】
【０００５】
しかし、従来の電池パックケースは多数の電池が積層された電池モジュールを密閉された内部空間に起立して配置できるように、前面と背面の両側面と、上部カバーと底面からなる組立体で構成され、各々の構成を締結するためにボルトやネジで固定するため、組立拱手と作業時間が多く必要となる問題があった。
【０００６】
本発明は、上記のような従来の問題を解決するために案出されたものであり、本発明の目的はひとつ以上の電池セルが電気的に連結された電池モジュールを受容する電池パックケースの組立工程および時間を短縮できる電池パックケースを提供するところにある。
【課題を解決するための手段】
【０００７】
本発明の第1実施例において、一つ以上の電池セルが相互間に電気的に連結される電池モジュールが受容された内側空間で底面をなす下部支持体;上記下部支持体の両側から締結される直立した断面からなる側部カバー;上記側部カバーの上側から締結され上面をなす上部カバー;上記上部カバーと側部カバーの前面と背面から各々締結される前面カバーと背面カバー;及び上記前面カバーから背面カバーまで延長される両側面に固定された固定バンドを含め、上記側部カバーと上部カバー及び下部支持体は側方向で延長される一つ以上の安着穴を含め、上記前面カバーと背面カバーは上記安着穴と一致する位置で上記固定バンドの末端と相互対称する形状で陰刻されたバンド固定穴を各々含め、上記固定バンドは弾力性を持つゴム、織物、又はプラスティック材質で一方向で延長形成される胴体の両末端から上記バンド固定穴と相互対称した陽刻構造を持つ引っかけ突起が上記バンド固定穴に安着して上記前面カバーから背面カバーまで固定させることを特徴とする。
【０００８】
本発明の第2実施例において、上記上部カバーは上面から上記前面カバーと背面カバー側方向に各々延長され上記前面カバーと背面カバーの内側に挿入される第1上部はめ込み手段;及び上面の両側から下向延長される側面と段差形成され上記側部カバーの上段に下向延長される第2上部はめ込み手段を含む。
【０００９】
本発明の第3実施例において、上記側部カバーは側部胴体の上段と下段から段差をもって突出形成される第1側部はめ込み段;及び上記側部胴体の内側から垂直に延長され各々前面カバーと背面カバーに突出する直立した断面からなる着脱バーを含む。
【００１０】
本発明の第4実施例において、上記下部支持体は底面から相互離隔され直立した断面で形成された固定板に両末端が各々固定されるヒンジ軸;上記底面の両側から上向突出される壁面からなる上記側部カバーと締結された側部板;上記側部板の上段とお互い異なる高さを有するように上記底面から上向突出されて上記側部カバーの内面に密着するように挿入される結合板を含む。
本発明の第5実施例において、上記下部支持体は上記底面から地面に連通するネジ穴が形成され、一つ以上が上記底面から延長される支持パネルを含む。
【００１１】
本発明の第6実施例において、上記前面カバーと背面カバーは下側で半球形状の直立した面で延長形成される引っかけ部を含み、上記引っかけ部は水平に延長される直立した面で上記ヒンジ軸に安着する引っかけ穴を含む。
【００１２】
本発明の第7実施例において、上記前面カバーは内部温度、入出力電圧レベルを視覚的に表示するディスプレイ;及び貫通形成される開口から上下側に多数個の支持バーが傾斜するように固定され内側から発熱した熱を放熱する放熱窓;を含む。
【００１３】
本発明の第8実施例において、上記側部カバーは内側面から外部電源が入出力される電源コネクター;及び外部バッテリー又は外部システムに通信連結するUSB端子を含む。
【００１４】
本発明の第9実施例において、上記上部カバーは上面で一つ以上の電池セルが電気的に連結される電池モジュールで電源の入出力が行われる極柱が突出される極柱空;及び内側が視覚的に確認できるように透明材質の透明窓を含む。
本発明の第10実施例において、上記安着穴は上記側部カバーと上記カバーの段差との間に形成されることを特徴とする。
本発明の第11実施例において、上記安着穴は上記側部カバーと上記下部支持体から上向突出される側部板の段差との間に形成されることを特徴とする。
【００１５】
本発明の第12実施例において、上記下部支持体は上記底板に安着される電池セルの両側を支持するように上記底板から相互離隔され直立形成される支持板を含む。
本発明の第13実施例において、上記引っかけ突起は上記胴体の両端段からかぎ括弧の形で形成されることを特徴とする。
【発明の効果】
【００１６】
本発明による電池パックケースは対称する陰刻構造からなり、ボルトやネジのような別途の固定手段を使用せず簡単に組立てできるため、組立て時間と工程が短縮され作業効率の増大および製造原価の節減を達成できる効果がある。
【図面の簡単な説明】
【００１７】
【図１】本発明による電池パックケースを図示した斜視図である。
【図２】本発明による電池パックケースの前面カバーを図示した斜視図である。
【図３】本発明による電池パックケースの前面カバーの側面図である。
【図４】本発明による電池パックケースの側面カバーの結合関係を図示した分解斜視図である。
【図５】本発明による電池パックケースの側面カバーの結合関係を図示した側面図である。
【図６】本発明による電池パックケースの固定バンドを図示した斜視図である。
【図７】本発明による電池パックケースの前面および背面カバーの結合関係を図示した分解斜視図である。
【図８】本発明による電池パックケースの電池モジュールが実装された使用例を図示した斜視図である。
【発明を実施するための形態】
【００１８】
以下では本発明による電池パックケースの望ましい実施例を、添付した図面を参照して詳細に説明する。
図1は本発明による電池パックケースを図示した斜視図、図2は本発明による電池パックケースから前面カバーを図示した斜視図である。
【００１９】
図1及び図2を参照すれば、本発明による電池パックケースは一つ以上の電池セルが電気的に連結される電池モジュール(71)を受容するように内側に開き空間を形成する。そのために前面カバー(20)と、背面カバー(40)及び上部カバー(10)と、両側面をなす一双の側部カバー(50)と下部から上記一双の側部カバー(50)が直立して固定されるように支持する下部支持体(30)と、上記前面カバー(20)と側部カバー(50)、下部支持体(30)及び背面カバー(40)を固定させる固定バンド(80)を含む。
【００２０】
上記上部カバー(10)は上記一双の側部カバー(50)と前面カバー(20)及び背面カバー(40)を各々はめ込み式で締結し上記電池パックケースの上面を形成する上部本体(11)と、上記側部カバー(50)に締結される第1上部はめ込み手段(13)と、上記前面カバー(20)は下部支持体(30)に各々締結される第2上部はめ込み手段(14)と、内側空間を確認できるように透明材質の透明窓(15)と、極柱(73)が突出される一双の極柱空(12)を含む。
【００２１】
上記上部本体(11)はプラスチック材質で成形されたもので、上記側部カバー(50)の上側で締結され、前面と後面から上記前面カバー(20)と上記背面カバー(40)に締結されて固定される。
【００２２】
上記第1上部はめ込み手段(13)は上記上部本体(11)の前面と背面から上面と段差をなして前面と背面に各々突出される水平面から構成される。ここで上記第1上部はめ込み手段(13)は上記上部本体(11)の上面より低い位置で前方と後方に各々突出され上記前面カバー(20)と後面カバーの内側に挿入される。
【００２３】
上記第1上部はめ込み手段(13)は上記上部本体(11)の両側から下方切曲され延長される側面の末端から相互段差をなして階段式に形成される第1結合段(131)と第2結合段(132)を含む。
【００２４】
上記第1結合段(131)は上記上部本体(11)の両側から下向切曲して延長される側面の末端から延長され、両側の末端から上記第2上部はめ込み手段(14)に連結され下向突出される壁面で形成される。
【００２５】
上記第2結合段(132)は上記上部本体(11)の両側段から段差形成され下向延長される壁面であり、上記第1結合段(131)と上記上部本体(11)の両側段との間に位置し上記第1結合段(131)及び上記上部本体(11)と各々段差を有するように形成される。
【００２６】
上記透明窓(15)は上記上部本体(11)の上面に形成された開口からガラスまたは透明プラスチック材質の窓が形成され内部を視覚的に確認できるようにする。
上記極柱空(12)は上記上部本体(11)から後述される回路基板(72)に固定される極柱(73)が突出するように上下方向に貫通形成される。
上記前面カバー(20)は図2及び図3を参照して詳細に説明する。
図2は本発明による電池パックケースで前面カバーを図示した斜視図、図3は本発明による電池パックケースで前面カバー(20)の側面図である。
【００２７】
図2及び図3を参照すれば、上記前面カバー(20)は電池パックケースの前面に直立するように位置し上記側部カバー(50)と下部支持体(30)にはめ込み式で締結される。そのために上記前面カバー(20)は上下左右側末端で水平面をなす縁が形成される前面本体(21)と、上記前面本体(21)から空気の流れが可能となるように貫通形成される第1熱窓(25)と、内部温度、現在入出力される電圧/電流量を表示するディスプレイ(26)と、上記下部支持体(30)に締結される引っかけ部(22)と、両側面の縁から固定バンド(80)が締結される前面安着穴(23)と、上記固定バンド(80)の両端が固定されるバンド固定穴(24)を含む。
【００２８】
上記前面本体(21)に直立した面で上下側と左右側で後方に延長される水平面と直立した断面をなす縁が形成される。ここで上記縁は上側内面と両側内面で各々段差(211)が形成され上記上部カバー(10)と側部カバー(50)の前面が各々安着される。
【００２９】
上記第1放熱窓(25)は上記前面本体(21)で開口形成され、多数個の支持バーが相互離隔され水平に固定され内側から発熱した熱を排出させる。ここで上記支持バー(図面番号なし)は上記第1放熱窓(25)から水平に固定され、前後方向に傾斜し外部のほこりや異物質の流入を防止して内部の空気が円滑に排出できるように形成される。
【００３０】
上記ディスプレイ(26)は上記前面本体(21)に固定され後述される回路基板(72)に設置される電圧センサー(図示されていない)と温度センサー(図示されていない)に各々連結され上記電圧センサーと温度センサーから感知された入出力電圧レベル及び内部温度を視覚的に確認できるように一定数値として出力する。
【００３１】
上記第1引っかけ部(22)は上記前面本体(21)の下部で半球形状をもって下向突出形成され、直立された一面から水平に延長される第1引っかけ部(221)が形成され下側に突出形成される。
【００３２】
上記第一引っかけ穴(221)は水平に延長された第1引っかけ部(22)の湾曲形成された一面から内向された穴で形成される。このとき上記第1引っかけ穴(221)は上記前面本体(21)の前面方向へ形成される。
【００３３】
上記前面安着穴(23)は上記前面本体から両側面の縁から内向して段差をなすように形成される穴であり、前方と後方がすべて開放され後述される背面安着穴(43)に延長されるように形成される。また上記全面安着穴(23)は上記前面本体の側面縁から少なくとも一つ以上形成される。
上記第1バンド固定穴(24)は上記固定バンド(80)の末端に案嫡子締結される穴であり、上記固定バンド(80)の末端と一致するように陰刻される。
上記下部支持体(30)と側部カバー(50)は図4と図5を参照して詳細に説明する。
【００３４】
図4は本発明による電池パックケースから側面カバーの結合関係を図示した分解斜視図、図5は本発明による電池パックケースで側面カバーの結合関係を図示した側面図である。
【００３５】
図4と図5を参照すれば、上記側部カバー(50)は直立した断面からなる一双の側部本体(51、52)と、上記側部本体(51、52)の内面で後述される回路基板(72)に連結されるUSB端子(54)と、電源が出力される電源コネクター(53)を含む。
【００３６】
上記側部本体(51、52)は相互離隔されて上記電池パックケースの一側面と他側面を形成する直立した断面から形成され、上記前面カバー(20)と背面カバー(40)及び上部カバー(10)と下部支持体(30)と各々連結される。
【００３７】
したがって、上記側部本体(51、52)は上記上部カバー(10)と下部支持体(30)と締結されるように段差をなし上段と下段が突出する側部はめ込み段(511)と、上記前面カバー(20)と背面カバー(40)に各々締結される着脱バー(512)を含む。
【００３８】
上記側部はめ込み段(511)は上記側部本体(51、52)の上側と下側に各々突出され上記側部本体(51、52)の外面と段差をなすように形成され上記第1上部はめ込み手段(13)と第2上部はめ込み手段(14)間の段差に安着し上記第2結合段の下段に密着する。
【００３９】
ここで上記側部はめ込み段(511)は上記第2結合段(132)と一致すれば、上記側部はめ込み段(511)と上記第2結合段(132)の段差の間に上記固定バンド(80)が安着する安着穴(60)を形成する。
上記着脱バー(512)は上記側部本体(51、52)の内側面から上下側に延長形成され上記前面カバー(20)と背面カバー(40)の内側に挿入される。
【００４０】
上記電源コネクター(53)は上記側部本体(51、52)の両側面からある一面の内側に固定され電源プラグが外側から挿入できるように固定される。そして上記電源コネクター(53)は挿入された電源プラグに電源を供給するように内側に受容される一つ以上の電池セルと連結される。
【００４１】
上記USB端子(54)は外部のBMS(Battery
Management System)と連結される通信用連結装置として後述される回路基盤(72)の構成及びディスプレイ(26)と同様の装置を制御する制御装置(図面に表示されていない)に連結される。
【００４２】
上記下部支持体(30)は底盤(31)と、上記底盤(31)の両側で切曲され上方に突出する側部盤(33)と、上記側部盤(33)の内側から上方へ突出し上側末端が上記側部盤(33)の上段と階段式に位置するように突出する結合板(34)と、上記前面カバー(20)の引っ掛け部(22)が締結されるヒンジ軸(32)と、内側に受容される一つ以上の電池セル(711、712、713)を支持する支持盤(35)を含む。
【００４３】
上記底盤(31)は上記電池パックケースの底面を形成し、前方の両側と後方の両側から各々貫通形成される固定空(313)が含まれる支持パネル(312)と、上記支持パネル(312)との間に上方へ突出して上記ヒンジ軸(32)の両末端が固定される軸固定盤(311)を含む。ここで上記底盤(31)は前方と後方がすべて開放された状態を形成し、両側から上記側部盤(33)が上方へ突出形成される。
【００４４】
上記ヒンジ軸(32)上記底盤(31)の前後側に各々形成され上記前面カバー(20)と背面カバー(40)と締結される。そのために上記ヒンジ軸(32)は上記軸固定盤(311)の両末端に固定され上記前面カバー(20)の引っ掛け部の引っ掛け穴(221)に安着される。ここで上記前面カバー(20)は水平状態で上記引っ掛け部が上記ヒンジ軸(32)に安着された後に上記前面カバー(20)が上記ヒンジ軸(32)に沿って直立した方向に回転されながら上記下部支持体(30)に固定される。上記前面カバー(20)と背面カバー(40)は相互対称した構造を形成するため、上記前面カバー(20)の引っ掛け部と同一の構成及び過積を通じて上記下部支持体(30)に締結される。
【００４５】
上記側部板(33)は上記底盤(31)の両側から垂直で上向突出形成され上記側部カバー(50)の下側末端と各々締結される。そのために上記側部盤(33)は段差が形成され上段が上記側部カバー(50)の下段から突出される側部はめ込み段(511)の末端面に密着される第1下部はめ込み段(321)と、上記第1下部はめ込み段(321)の下側から段差をなす第2下部はめ込み段(322)を含む。
ここで上記第1下部はめ込み段(321)は上記側部盤(33)から上側末端として上記側部はめ込み段(511)の下側末端と密着する。
【００４６】
上記第2下部はめ込み段(322)は上記第1下部はめ込み段(321)の下側から外側へ延長された平面からなり、上記第1下部はめ込み段(321)と段差を形成する。このとき上記第2下部はめ込み段(322)は上記第1下部はめ込み段(321)が上記側部はめ込み段(511)と締結された状態で上記側部本体(51、52)の外面の段差と上下軸で離隔された状態となり上記固定バンド(80)が安着する安着穴(60)を形成する。
【００４７】
上記結合板(34)は上記側部盤(33)の内側から上方突出されその末端が上記着脱バー(512)の下段と上記側部本体(51、52)の下側側部はめ込み段(511)間の段差に安着される。そして上記結合板(34)は上記前面カバー(20)の内側に挿入できるように上記側部盤(33)より前方に延長され上記側部盤(33)の外面と段差をなすようにする。
【００４８】
上記背面カバー(40)は上記前面カバー(20)と相互対称した構成を含め電池パックケースの背面をなすように上記側部カバー(50)と下部支持体(30)にはめ込み式で締結される。
【００４９】
そのために上記背面カバー(40)は上下側から水平面をなして延長され、左右側から直立した断面で延長される縁が形成される背面本体(41)と、上記背面本体(41)から貫通形成される第2放熱窓(45)と、上記下部支持体(30)に締結される第2引っ掛け部(42)と、両側面縁から固定バンド(80)が締結される背面安着穴(43)と、上記固定バンド(80)の末端が固定される第2バンド固定穴(44)を含む。
【００５０】
上記背面本体(41)は直立した面として上下側と左右側で後方に延長される水平面と直立した断面をなす縁を形成する。ここで上記縁は上側内面と両側内面から各々段差(211)が形成され上記上部カバー(10)と側部カバー(50)の背面に各々安着する。
【００５１】
上記第2放熱窓(45)は上記背面本体(41)で開口形成され、多数個の支持バーが相互離隔され水平に固定されて内側から発熱した熱を排出させる。ここで上記支持バーは上記第2放熱窓(45)で水平に固定され、前後方向に傾斜して外部の誇りや異物質の流入を防止し内部の空気が円滑に排出できるように形成する。
上記第2引っかけ部(42)は上記背面本体(41)の下部から湾曲され水平に延長される第2引っ掛け穴(421)が形成され下側に突出形成される。
【００５２】
上記第2引っかけ穴(421)は上記下部支持体(30)のヒンジ軸(32)に締結され上記上部カバー(10)と側部カバー(50)に締結できるように回転可能にして支持する。
【００５３】
上記背面安着穴(43)は上記背面本体(41)の両側面の縁から内向して段差をなすように形成された穴であり、上記第2バンド固定穴(44)に延長される。
上記第2バンド固定穴(44)は上記固定バンド(80)の末端に安着して締結される穴として上記固定バンド(80)の末端と一致するように印刻される。
【００５４】
上記固定バンド(80)は図6を参照して説明する。上記固定バンド(80)は上記電池パックケースの両側面から一つ以上が前面カバー(20)から背面カバー(40)まで延長形成された安着穴(60)に安着して両末端が上記前面カバー(20)の第1バンド固定穴(24)と背面カバー(40)の第2固定バンド穴(44)に各々締結され上記前面カバー(20)ないし背面カバー(40)を固定させる。
【００５５】
そのために上記固定バンド(80)は側断面で形成され延長される胴体(81)と、上記胴体(81)の両末端で切曲形成され上記第1バンド固定穴(24)と第2バンド固定穴(44)に各々安着する引っ掛け突起(82)を含む。
【００５６】
上記胴体(81)は上記側部カバー(50)と下部支持体(30)、上部カバー(10)と側部カバー(50)間の締結時に形成される一つ以上の安着穴(60)に安着されるように直立した断面が延長形成される。ここで望ましくは上記胴体(81)は弾性力をもつゴムや合成樹脂または織物材質からなることが望ましい。
【００５７】
上記引っかけ突起(82)は上記胴体(81)の両末端からかぎ括弧の形で形成され、具体的には上記胴体(81)の末端から電池パックケースの内側方向に切曲された垂直面(823)と、上記垂直面(823)から上記電池パックケースの前方又は後方に切曲される水平面(821)で形成される。
本発明は上記のような構成を含み、これを通じて達成される本発明の作用説明は下記の図7と図8を参照して詳細に説明する。
【００５８】
図7は本発明による電池パックケースから前面及び背面カバー(40)の結合関係を図示した分解斜視図、図8は本発明による電池パックケースから電池モジュール(71)に実装された使用例を図示した斜視図である。
【００５９】
図7と図8を参照すれば、本発明の電池パックケースは次のような順序で組み立てられる。まず作業者は上記下部支持体(30)の側部盤(33)の上段に上記側部カバー(50)を各々安着させる。
【００６０】
このとき上記側部カバー(50)の下側に突出される側部はめ込み段(511)は上記下部支持体(30)の側部盤(33)の第1下部はめ込み段(321)の末端と密着して上記側部本体(51、52)の外面と上記第2下部はめ込み段(322)との間に固定バンド(80)が安着する安着穴(60)が形成される。
【００６１】
また上記結合板(34)は上記着脱バー(512)の下側末端に上段が密着される。したがって上記下部支持体(30)の結合板(34)の上記第1側部はめ込み段(511)の内側から上記側部カバー(50)と締結される。
【００６２】
そして作業者は上記下部支持体(30)は上記側部カバー(50)が締結されれば、上記上部カバー(10)を上記側部カバー(50)の上側に安着させる。すなわち、上記上部カバー(10)の第1結合段(131)は上記着脱バー(512)の上段に安着し、上記第2結合段(132)は上記側部本体(51、52)の上段から形成される側部はめ込み段(511)の上段に安着する。ここで上記第1結合段(131)と着脱バー(512)が密着した高さと上記第2結合段(132)と上記側部はめ込み段(511)の上段が密着したところの高さの差が互いに異なるために上記側部カバー(50)に安着した上記上部カバー(10)が支持されうる。
【００６３】
このように上部カバー(10)と側部カバー(50)及び下部支持体(30)が組み立てられれば、上記前面カバー(20)と上記下部支持体(30)を各々組み立てる。
【００６４】
作業者は上記前面カバー(20)を水平方向に倒した上体で、上記第1引っ掛け穴(211)に上記ヒンジ軸(32)を挿入させる。そして上記前面カバー(20)を垂直方向に回転させ上記上部カバー(10)の第1上部はめ込み手段(13)と上記側部カバー(50)の着脱バー(512)と、上記結合板(34)の前面が内側段差(211)まで挿入されるようにする。
【００６５】
また作業者は上記前面カバー(20)の締結過程と同様に上記背面カバー(40)を倒した状態で上記第2引っ掛け穴(421)に上記ヒンジ軸(32)を挿入させた後回転させ上記側部カバー(50)と下部支持体(30)と締結させる。このとき上記背面カバー(40)は上記上部カバー(10)から後方に突出される第1上部はめ込み手段(13)と上記側部カバー(50)から後方に突出され延長される着脱バー(512)と、上記下部支持体(30)の後方から延長突出する上記結合板(34)の末端が上記背面カバー(40)の縁の内側に形成される段差に挿入される。
【００６６】
このように作業者が側部カバーと上部カバー及び下部支持体を組み立てれば上記上部カバー(10)を側部カバー(50)、上記側部カバー(50)と下部支持体(30)が互いの段差によって安着穴(60)を形成する。
【００６７】
また作業者が上記前面カバー(20)と上記背面カバー(40)を固定させれば、上記安着穴(60)が上記前面安着穴(23)と背面安着穴(43)まで延長される。
【００６８】
したがって作業者は上記固定バンド(80)の胴体(81)を安着穴(60)に安着させ、両末端に形成される第1バンド固定穴(24)と第2バンド固定穴(44)に安着させ上記電池パックケースを構成する前面カバー(20)と上部カバー(10)と側部カバー(50)及び下部支持体(30)を固定させる。
【００６９】
すなわち、本発明はネジやボルトのようにドライバー又はレンチを利用した固定手段なく相互対称した陰刻構造を利用して電池パックケースを組み立て、組み立てられた電池パックケースを上記固定バンド(80)を通じて固定させることができ、工手の節減及び作業時間が短縮できる。
【００７０】
また本発明は上記前面カバー(20)に形成されるディスプレイ(26)を通じて現在入出力される電力レベルと、残余充電量と内部の温度を出力でき、上記上部カバー(10)の上面から突出する極柱(73)以外に上記電源コネクター(53)及びUSB端子(54)を通じて出力可能な電源のレベルを多様化できる。
【００７１】
そのために本発明は上記一つ以上の電池セルが直列及び/又は並列連結され上記電池パックケースの内側に受容される電池モジュール(71)の上面に上記のように出力電圧を多様化し、上記内部温度及び出力レベルと残余電源レベルを感知できる電圧センサーと温度センサーが実装される回路基盤(72)を構成できる。
【００７２】
たとえば、上記回路基盤(72)は上記電池セルの電池タップに連結され上記電池セルの電圧を測定する電圧センサーと内部温度を感知する温度センサーが実装されるセンシングボード(図面に表示されていない)を含む。
【００７３】
そして本発明は上述したように電源コネクター(53)とUSB端子(54)を通じて外部システムと外部のBMS(Battery Management System)と連結して内側電池セルの充電及び出力が可能であり、産業用バッテリーではない家庭用又はレジャー用に使用可能である。
【００７４】
すなわち、本発明は上記上部カバー(10)の上面から突出する極柱(73)を通じて電圧を出力するが、上記側部カバー(50)に設置される電源コネクター(53)を利用して外部電源が充電できるESS(Energy
Storage System)機能の追加が可能である。そして上記USB端子(54)を通じて外部システムと外部バッテリー間の通信を通じて様々なレベルに可変して電圧を出力できる。
【産業上の利用可能性】
【００７５】
以上において本発明は記載された具体例について詳細に説明したが、本発明の技術思想範囲内で様々な変形及び修正が可能であることは当業者において明白であり、このような変形及び修正が添付された特許請求範囲に属することは当然である。
【符号の説明】
【００７６】
10：上部カバー、11：上部本体、12：極主空、13：第1上部はめ込み手段、14：第2上部はめ込み手段、15：透明窓、131：第1結合段、132：第2結合段、20：前面カバー、21：前面本体、22：第1引っ掛け部、23：前面安着穴、24：第1バンド固定穴、25：第1房熱窓、26：ディスプレイ、30：下部支持体、31：底板、32：ヒンジ軸、33：側部板、34：結合板、35：支持板、40：背面カバー、41：背面胴体、42：第2引っかけ部、43：背面安着穴、44：第2バンド固定穴、45：第2房熱窓、50：側部カバー、51、52：側部本体、53：安全コネクター、54：USB端子、60：安着穴、70：回路基板、80：固定バンド、211、411：段差、221：第1引っかけ部、311：軸固定板、312：支持パネル、313：固定穴、321：第1下部はめ込み段、322：第2下部はめ込み段、511：側部はめ込み段、512：着脱バー
【図１】
0005619820.tif 000002
【図２】
0005619820.tif 000003
【図３】
0005619820.tif 000004
【図４】
0005619820.tif 000005
【図５】
0005619820.tif 000006
【図６】
0005619820.tif 000007
【図７】
0005619820.tif 000008
【図８】
0005619820.tif 000009